(57)【要約】【課題】電線分岐用ソケットおよびプラグを保護すると共に、電線分岐用ソケットからのプラグ抜けを防止する。【解決手段】電気接続具用カバー１は、電線分岐用ソケット１０１およびプラグ１０２〜１０４の各コードを外部に取り出した状態で、電線分岐用ソケット１０１およびこれに接続されたプラグ１０２〜１０４を挟み込んで内部に密閉する上カバー２および下カバー３と、上カバーと下カバーの外周部の複数箇所に、カバー閉止用のフック部４と、上カバー２および下カバー３の外周縁部に渡ってシールすることによりカバー内部を密閉状態とする弾性シール部材９とを有している。【選択図】  図３
2004201443.tif 000002
【特許請求の範囲】
【請求項１】
一または複数の延長コードのプラグを接続可能とする電線分岐用ソケットを前記プラグと共にカバーする電気接続具用カバーであって、
前記電線分岐用ソケットおよびプラグの各コードを外部に取り出した状態で、前記電線分岐用ソケットおよびこれに接続されたプラグを挟み込んで内部に密閉する上カバーと下カバーとを有した電気接続具用カバー。
【請求項２】
前記上カバーと下カバーはそれぞれ外周壁を有した平面視円形または楕円形に構成され、前記外周壁の外周縁部には、前記電線分岐用ソケットおよびプラグの各コードを挟み込むための凹部がそれぞれ形成されている請求項1記載の電気接続具用カバー。
【請求項３】
前記電線分岐用ソケットおよびプラグ収容時に、前記電線分岐用ソケットからの前記プラグの抜け止めとなるように前記プラグの後端部が前記上カバーと下カバーの外周壁内面に当接可能に構成されている請求項1または２記載の電気接続具用カバー。
【請求項４】
前記上カバーと下カバーの外周縁部に渡ってシールすることにより、カバー内部を密閉状態とする弾性シール部材が配設された請求項1〜３の何れかに記載の電気接続具用カバー。
【請求項５】
弾性シール部材は、コード逃がし用の凹部を含む前記上カバーの外周縁部に沿うように形成された上弾性シール部材と、コード逃がし用の凹部を含む前記下カバーの外周縁部に沿うように形成された下弾性シール部材とを有し、前記電線分岐用ソケットおよびプラグの各コードの外周部を、前記上弾性シール部材と上弾性シール部材で挟み込んでカバー内部を密閉状態とする請求項４記載の電気接続具用カバー。
【請求項６】
前記上カバーと下カバーの外周部の複数箇所に、カバー閉止用のフック部が設けられている請求項1記載の電気接続具用カバー。
【請求項７】
前記上カバーと下カバーには、カバー開閉用の蝶番と、カバー閉止用のフック部とが設けられている請求項1記載の電気接続具用カバー。
【発明の詳細な説明】
【０００１】
【発明の属する技術分野】
本発明は、例えば建設現場などで用いられ、延長コードのプラグを接続可能とする電線分岐用ソケットをプラグと共に保護する電気接続具用カバーに関する。
【０００２】
【従来の技術】
従来、図１３および図１４に示すように、この種の電線分岐用ソケット１０１には、複数の延長コードの各プラグ１０２〜１０４がそれぞれ差し込まれて接続可能となっている。郊外を問わず室内であっても例えば建設現場や工事現場の他、家庭での日曜大工現場などで、電線分岐用ソケット１０１を介して複数の延長コードを接続することによって、例えばドリルやノコギリなどの各種電機機器や照明装置などを駆動させて各種現場作業を行っている。
【０００３】
【発明が解決しようとする課題】
上記従来の構成では、電線分岐用ソケット１０１に各プラグ１０２〜１０４が差し込まれた状態（図１４参照）で各種現場作業を行うが、この場合に、延長コードが引っ張られ、電線分岐用ソケット１０１が途中の何かに引っかかるなどして電線分岐用ソケット１０１からプラグが抜けることはよくある。このとき、作業途中で、延長コードに接続されていた電気機器が急停止したり、照明装置であれば急に真っ暗な状態になったりするという不都合が生じる。また、このときに、電線分岐用ソケット１０１やプラグ１０２〜１０４が何かに当たって破損し、電気が流れる金属片が露出したりして危険な状態になるという問題を有していた。
【０００４】
本発明、上記従来の問題を解決するもので、作業に伴って延長コードを引き回しても、電線分岐用ソケットおよびプラグを保護することができると共に、電線分岐用ソケットからのプラグ抜けを防止することができる電気接続具用カバーを提供することを目的とする。
【０００５】
【課題を解決するための手段】
本発明の電気接続具用カバーは、一または複数の延長コードのプラグを接続可能とする電線分岐用ソケットをプラグと共にカバーする電気接続具用カバーであって、電線分岐用ソケットおよびプラグの各コードを外部に取り出した状態で、電線分岐用ソケットおよびこれに接続されたプラグを挟み込んで内部に密閉する上カバーと下カバーとを有したものであり、そのことにより上記目的が達成される。
【０００６】
また、好ましくは、本発明の電気接続具用カバーにおける上カバーと下カバーはそれぞれ外周壁を有した平面視円形または楕円形に構成され、外周壁の外周縁部には、電線分岐用ソケットおよびプラグの各コードを挟み込むための凹部がそれぞれ形成されている。
【０００７】
さらに、好ましくは、本発明の電気接続具用カバーにおいて、電線分岐用ソケットおよびプラグ収容時に、電線分岐用ソケットからのプラグの抜け止めとなるようにプラグの後端部が上カバーと下カバーの外周壁内面に当接可能に構成されている。
【０００８】
さらに、好ましくは、本発明の電気接続具用カバーにおいて、上カバーと下カバーの外周縁部に渡ってシールすることにより、カバー内部を密閉状態とする弾性シール部材が配設されている。
【０００９】
さらに、好ましくは、本発明の電気接続具用カバーにおける弾性シール部材は、コード逃がし用の凹部を含む上カバーの外周縁部に沿うように形成された上弾性シール部材と、コード逃がし用の凹部を含む下カバーの外周縁部に沿うように形成された下弾性シール部材とを有し、電線分岐用ソケットおよびプラグの各コードの外周部を、上弾性シール部材と上弾性シール部材で挟み込んでカバー内部を密閉状態とする。
【００１０】
さらに、好ましくは、本発明の電気接続具用カバーにおける上カバーと下カバーの外周部の複数箇所に、カバー閉止用のフック部が設けられている。
【００１１】
さらに、好ましくは、本発明の電気接続具用カバーにおける上カバーと下カバーには、カバー開閉用の蝶番と、カバー閉止用のフック部とが設けられている。
【００１２】
上記構成により、本発明の作用について説明する。
【００１３】
本発明においては、上カバーと下カバーにより、電線分岐用ソケットおよびこれに接続されたプラグを挟み込んで内部に密閉するので、作業に伴って延長コードを引き回しても、電線分岐用ソケットおよびプラグを保護することが可能となり、かつ、電線分岐用ソケットからのプラグ抜けをも防止することが可能となる。
【００１４】
また、防水に優れた弾性シール部材が上カバーと下カバーの外周縁部に渡って、カバー内部を密閉するので、雨天時など、延長コードを引っ張って各種作業する作業時に、電線分岐用ソケットとプラグとの間に水が侵入して漏電するという従来の課題が解消される。
【００１５】
【発明の実施の形態】
以下、本発明の電気接続具用カバーの実施形態１〜３について図面を参照しながら説明する。
（実施形態１）
図1は、本発明の電気接続具用カバーの実施形態１を示す外観図であり、図２は図１のＡＡ断面図であり、図３は図１の内部状態を示す下カバーの上面図であり、図４の（ａ）は図３のＢＢ断面図、（ｂ）は図３のＣＣ断面図、（ｃ）は図３のＤＤ断面図である。
【００１６】
図１に示すように、電気接続具用カバー１は内部に電線分岐用ソケット１０１とプラグ１０２〜１０４を防水状態で収容可能とすると共に各電線コード１０１Ａ〜１０４Ａを外部に引き出し、引き回したときに他の物に引っかかりにくくするために、突起物がない外観に丸みを帯びた平面視が円形または楕円形の厚みのある板状に構成されている。
【００１７】
電気接続具用カバー１は、図２に示すように、例えば合成樹脂製の上カバー２と下カバー３とから構成されており、上カバー２と下カバー３には、図３および図４（ａ）に示すように、ワンタッチで互いに係合するフック部４が外周部に沿って４箇所、均等に設けられている。フック部４は弾性がある二つの係合爪からなり、各係合爪の係合を指先などで外すことにより係合を解除することができる。
【００１８】
これらの上カバー２と下カバー３は外周壁を有した平面視円形または楕円形に構成され、この外周壁の外周縁部には、電線分岐用ソケット１０１およびプラグ１０２〜１０４の各コードを挟み込むための凹部が形成されている。ここでは、下カバー３の外周縁部３１の複数箇所（ここでは４箇所）に、図３および図４（ｂ）に示すように、電線コード１０１Ａ〜１０４Ａを外部にそれぞれ引き出すための凹部５が設けられている場合について説明する。この凹部５内にはゴム製の弾性部材６が配設されている。弾性部材６には、電線コード用の凹部６１が形成されていると共に、外部への抜止用の鍔部６２も形成されている。
【００１９】
また、図３および図４（ｃ）に示すように、下カバー３の外周縁部には外周に沿って円形状の凹部７が設けられており、凹部７内に一部が入り込むように、ごむ製などの弾性材で構成された断面円形または楕円形のＯリング８が配設されている。これらの四つの弾性部材６とＯリング８により防水用の弾性シール部材９が構成され、これらの弾性部材６およびＯリング８の弾性により、上カバー２と下カバー３とを嵌め合わせたときに、電線コード１０１Ａ〜１０４Ａを外部に引き出した状態でも水が内部に浸入しないように防水シールされている。なお、ここでは、上カバー２には凹部５および弾性部材６と凹部７およびＯリング８とがなく、上カバー２の外周縁部は平らである場合について説明している。
【００２０】
さらに、図２に示すように、上カバー２と下カバー３とを嵌め合わせたときに、内部の電線分岐用ソケット１０１とプラグ１０２〜１０４を上下から挟み込んで固定すると共に、プラグ１０２〜１０４の各後端部に、上カバー２と下カバー３の各テーパ部２２，３２（外周壁内面部）を当接して差込方向（内側）に力が働くように構成されている。これによって、ソケット１０１から各プラグ１０２〜１０４が抜けないようになっている。
（実施形態２）
上記実施形態１では防水用の弾性シール部材９として弾性部材６とＯリング８とを別々に用いたが、本実施形態２では、上記実施形態１の弾性部材６とＯリング８とを一体化させた防水用の弾性シール部材９Ａを用いる場合である。
【００２１】
図５は、本発明の電気接続具用カバーにおける実施形態２を示す正面図であり、図６は図５の下カバー１３の平面図であり、図７は図５の弾性シール部材９Ａの正面図であり、図８は図５の弾性シール部材９Ａの平面図である。
【００２２】
図５に示すように、電気接続具用カバー１１は、ここでは図示していないが内部に電線分岐用ソケット１０１とプラグ１０２〜１０４を防水状態で密閉可能とすると共に各電線コード１０１Ａ〜１０４Ａを外部に引き出し、引き回し時に物に引っかかりにくくするために、突起物がない外観に丸みを帯びた平面視が円形または楕円形でかつ正面視も丸みを帯びた円形または楕円形に構成している。
【００２３】
電気接続具用カバー１１は、合成樹脂製の上カバー１２と下カバー１３とから構成されており、上カバー１２と下カバー１３には、図５および図６に示すように、ワンタッチで互いに係合する各係合爪を持つフック部１４が外周部に沿って４箇所、均等に設けられている。フック部１４の係合は、フック部１４の弾性のある係合爪を指先などで外すことにより容易に解除することができる。
【００２４】
これらの上カバー１２と下カバー１３とは略同様の構造になっており、上カバー１２と下カバー１３の各外周縁部の複数箇所（ここでは４箇所）には、図６に示すように、電線コード１０１Ａ〜１０４Ａを外部にそれぞれ引き出すための凹部１５が設けられている。この凹部１５内にはゴム製の防水用の弾性シール部材９Ａが配設されている。弾性シール部材９Ａには、電線コード用の凹部１６Ａが形成されている。これらの上カバー１２と下カバー１３とを嵌め合わせたときに、電線コード１０１Ａ〜１０４Ａを外部に引き出した状態でも、上下二つの弾性シール部材９Ａの弾性により隙間がシールされて、外部から水が内部に浸入しないように防水される。
【００２５】
この場合にも、上カバー１２と下カバー１３とを嵌め合わせたときに、内部の電線分岐用ソケット１０１とプラグ１０２〜１０４を上下から挟み込んで固定すると共に、プラグ１０２〜１０４の後端部（後ろ側）に、上カバー１２と下カバー１３の各外周壁内面部（内周部）１２Ａ（１３Ａ）を当接して差込方向（内側）に力が働くように構成されている。これによって、ソケット１０１から各プラグ１０２〜１０４が抜けないストッパ構造になっている。
【００２６】
また、電線分岐用ソケット１０１とプラグ１０２〜１０４を設けない下カバー１３内の空部分には、複数（ここでは四つ）のダミー電線コード１０２Ｂ〜１０４Ｂが保持されている。ダミー電線コード１０２Ｂ〜１０４Ｂがそれぞれ、二枚の突起板１８の間に位置してその内側への弾性力により保持されている。また、ダミー電線コード１０２Ｂ〜１０４Ｂの何れかは、電線分岐用ソケット１０１にプラグを差し込まない位置に対応した弾性シール部材９Ａの凹部１６Ａ内に挿入してその凹部１６Ａ内をシールする。なお、この場合に、ダミー電線コード１０２Ｂ〜１０４Ｂの何れかは、外部への抜け止め用に鍔部を内側に有していてもよい。
（実施形態３）
上記実施形態１，２では、分離自在の上カバーと下カバーとをワンタッチで互いに係合する場合であったが、本実施形態３では、上カバーと下カバーを蝶番で開閉する場合である。それ以外は、上記実施形態１，２の各構成要素と同じである。
【００２７】
図９は、本発明の実施形態３の電気接続具用カバーを開いた状態を示す平面図である。
【００２８】
図９に示すように、電気接続具用カバー２１は、上カバー２２と下カバー２３とが蝶番２５を介して接続されており、蝶番２５により上カバー２２と下カバー２３を開閉自在に構成している。また、上カバー２２と下カバー２３には、蝶番２５の反対側に、ワンタッチで互いに係合する各係合爪を持つフック部２４が設けられている。このフック部２４の係合は、フック部２４の弾性のある各係合爪を指先などで外すことにより解除することができる。
（実施形態４）
上記実施形態１〜３では、市販の電線分岐用ソケット１０１を用いたが、電気接続具用カバーの外形が大きくなるため、本実施形態４では、電線分岐用ソケットをコンパクトに構成することにより電気接続具用カバーの外形を小さく構成する場合である。よって、本発明のコンパクトな電線分岐用ソケットと外形の小さい電気接続具用カバー以外は上記実施形態１〜３と同様の構成である。
【００２９】
図１０は、本発明の実施形態４の電気接続具用カバーを蝶番で開いた場合の下カバーの平面図である。
【００３０】
図１０に示すように、電気接続具用カバー３１は、上カバー（図示せず）と下カバー３３とが蝶番３５を介して接続されており、蝶番３５により上カバー（図示せず）と下カバー３３を開閉自在に構成している。また、上カバー（図示せず）と下カバー３３には、蝶番３５の反対側に、ワンタッチで互いに係合する各係合爪を持つフック部３４が設けられている。
【００３１】
電線分岐用ソケット３６は、平面視正方形（または平面視円形）で三方からプラグを差込可能となっており、残る一方には端子３６１が設けられている。この端子３６１に半田付けなどで電線コード１０１Ｂの一端部の裸電線を接続すればよい。電線コード１０１Ｂの一端部には抜け止め用金具１０１Ｃも取付けられている。
【００３２】
なお、本実施形態４では、電線分岐用ソケット３６の端子３６１に電線コード１０１Ｂの一端部の裸電線を半田付けなどで接続する場合について説明し、上カバーの構成については、特に説明しなかったが、図１１および図１２の延長コードが１本の場合を一例にとって示すと、安全のために裸電線の半田付け部分を常に覆うように、上カバー３２Ａが途中から蝶番３５Ａにより上カバー３３Ａに対して開閉自在に構成されていてもよい。
【００３３】
以上により、上記実施形態１〜４によれば、電気接続具用カバー１は、電線分岐用ソケット１０１およびプラグ１０２〜１０４の各コードを外部に取り出した状態で、電線分岐用ソケット１０１およびこれに接続されたプラグ１０２〜１０４を挟み込んで内部に密閉する上カバー２（または１２，２２，３２Ａ）および下カバー３（または１３，２３，３３，３３Ａ）と、これらの上カバーと下カバーの外周部の複数箇所に、カバー閉止用のフック部４（または１４，２４，３４）と、これらの上カバーおよび下カバーの外周縁部に渡ってシールすることによりカバー内部を密閉状態とする弾性シール部材９（９Ａ）とを有している。これによって、作業に伴って延長コードを引き回しても、電線分岐用ソケット１０１およびプラグ１０２〜１０４を破損から保護できると共に、電線分岐用ソケット１０１からのプラグ１０２〜１０４の抜けを防止することができる。さらには、内部の密閉性もよく、電線分岐用ソケット１０１とプラグ１０２〜１０４間からの水侵入による漏電を防止することができる。
【００３４】
なお、上記実施形態１〜４では、上カバーと下カバーに、カバー開閉用の蝶番と、カバー閉止用のフック部とのうち少なくともフック部が設けられる構成としたが、これとは別に、またはこれと共に、上カバーと下カバーを貫通したネジとナットの締結具により上カバーと下カバーを確実に閉止するように構成することもできる。
【００３５】
【発明の効果】
以上のように、本発明によれば、上カバーと下カバーにより、電線分岐用ソケットおよびこれに接続されたプラグを挟み込んで内部に密閉するので、作業に伴って延長コードを引き回しても、電線分岐用ソケットおよびプラグを保護することが可能となり、かつ、電線分岐用ソケットからのプラグ抜けを防止することができる。
【００３６】
また、防水に優れた弾性シール部材が上カバーと下カバーの外周縁部に渡って、カバー内部を密閉するので、雨天時など、延長コードを引っ張って各種作業する作業時に、電線分岐用ソケットとプラグとの間に水が侵入して漏電するという従来の課題を解消することができる。
【図面の簡単な説明】
【図１】本発明の電気接続具用カバーの実施形態１を示す外観図である。
【図２】図１のＡＡ断面図である。
【図３】図１の内部状態を示す下カバーの上面図である。
【図４】（ａ）は図３のＢＢ断面図、（ｂ）は図３のＣＣ断面図、（ｃ）は図３のＤＤ断面図である。
【図５】本発明の電気接続具用カバーの実施形態２を示す正面図である。
【図６】図５の下カバーの平面図である。
【図７】図５の弾性シール部材の正面図である。
【図８】図５の弾性シール部材の平面図である。
【図９】本発明の実施形態３の電気接続具用カバーを開いた状態を示す平面図である。
【図１０】本発明の実施形態４の電気接続具用カバーを蝶番で開いた場合の下カバーの平面図である。
【図１１】本発明の実施形態４の電気接続具用カバーの他の例を示す平面図である。
【図１２】図１１の電気接続具用カバーの上カバーを開いた状態を示す側面図である。
【図１３】電線分岐用ソケットへの各プラグの挿入前の状態または抜けた状態を示す図である。
【図１４】電線分岐用ソケットへの各プラグの挿入後の状態を示す図である。
【符号の説明】
１，１１，２１，３１   電気接続具用カバー
２，１２，２２，３２Ａ   上カバー
３，１３，２３，３３，３３Ａ   下カバー
４，１４，２４，３４   フック部
５，１６Ａ，６１，７   凹部
６   弾性部材
２５、３５   蝶番
６2   鍔部
８   Ｏリング
９，９Ａ   弾性シール部材
３６，１０１   電線分岐用ソケット
３６１   端子
１０２〜１０４   プラグ
１０１Ａ〜１０４Ａ   電線コード
１０１Ｂ〜１０４Ｂ   ダミー電線コード
１０１Ｃ   抜け止め用金具
【図１】
2004201443.tif 000003
【図２】
2004201443.tif 000004
【図３】
2004201443.tif 000005
【図４】
2004201443.tif 000006
【図５】
2004201443.tif 000007
【図６】
2004201443.tif 000008
【図７】
2004201443.tif 000009
【図８】
2004201443.tif 000010
【図９】
2004201443.tif 000011
【図１０】
2004201443.tif 000012
【図１１】
2004201443.tif 000013
【図１２】
2004201443.tif 000014
【図１３】
2004201443.tif 000015
【図１４】
2004201443.tif 000016